(57)【要約】【課題】映像信号が分割されて複数の伝送路を介して送信器から受信器に送信される場合に、送信器および受信器のうち少なくともいずれか一方の要する消費電力を低減する。【解決手段】映像信号を画素要素ごとに上位ビットと下位ビットとに分割する画像分割部と、前記上位ビットを含む第１のフレームと前記下位ビットを含む第２のフレームとを生成するフレーム生成部と、受信器に関する情報が所定の情報である場合には、前記第２のフレームを前記受信器に送信する送信部の動作を停止させる送信動作制御部と、を備える、フレーム生成装置が提供される。【選択図】図２
2017090283.tif 000002
【特許請求の範囲】
【請求項１】
映像信号を画素要素ごとに上位ビットと下位ビットとに分割する画像分割部と、
前記上位ビットを含む第１のフレームと前記下位ビットを含む第２のフレームとを生成するフレーム生成部と、
受信器に関する情報が所定の情報である場合には、前記第２のフレームを前記受信器に送信する送信部の動作を停止させる送信動作制御部と、
を備える、フレーム生成装置。
【請求項２】
前記受信器に関する情報は、前記受信器の状態および前記受信器の機能のうち少なくともいずれか一方を含む、
請求項１に記載のフレーム生成装置。
【請求項３】
前記受信器に関する情報は、前記受信器の状態を含み、
前記送信動作制御部は、前記受信器の状態が所定の状態である場合には、前記第２のフレームを送信する前記送信部の動作を停止させる、
請求項２に記載のフレーム生成装置。
【請求項４】
前記受信器に関する情報は、前記受信器の機能を含み、
前記送信動作制御部は、前記受信器の機能が所定の機能である場合には、前記第２のフレームを送信する前記送信部の動作を停止させる、
請求項２に記載のフレーム生成装置。
【請求項５】
前記送信動作制御部は、前記受信器に関する情報が前記所定の情報である場合には、前記第２のフレームの生成を停止するよう前記フレーム生成部を制御する、
請求項１に記載のフレーム生成装置。
【請求項６】
前記フレーム生成装置は、
前記受信器に関する情報を前記受信器から受信する機器情報受信部を備える、
請求項１に記載のフレーム生成装置。
【請求項７】
前記フレーム生成部は、前記第１のフレームおよび前記第２のフレームそれぞれの先頭にフレーム開始識別子を付する、
請求項１に記載のフレーム生成装置。
【請求項８】
前記フレーム生成装置は、
前記第１のフレームを送信する第１の送信部および前記第２のフレームを送信する第２の送信部を備える、
請求項１に記載のフレーム生成装置。
【請求項９】
映像信号を画素要素ごとに上位ビットと下位ビットとに分割することと、
前記上位ビットを含む第１のフレームと前記下位ビットを含む第２のフレームとを生成することと、
受信器に関する情報が所定の情報である場合には、前記第２のフレームを前記受信器に送信する送信部の動作を停止させることと、
を含む、フレーム生成方法。
【請求項１０】
受信器によって受信される映像信号が画素要素ごとに分割された上位ビットおよび下位ビットをそれぞれ含む第１のフレームおよび第２のフレームが送信器から受信された場合、前記第１のフレームおよび前記第２のフレームから、前記上位ビットおよび前記下位ビットをそれぞれ抽出する画素抽出部と、
前記上位ビットと前記下位ビットとを合成して前記映像信号を復元する画像合成部と、
前記受信器に関する情報が所定の情報である場合には、前記送信器から前記第２のフレームを受信する受信部の動作を停止するよう制御する受信動作制御部と、
を備える、画像合成装置。
【請求項１１】
前記受信器に関する情報は、前記受信器の状態および前記受信器の機能のうち少なくともいずれか一方を含む、
請求項１０に記載の画像合成装置。
【請求項１２】
前記受信器に関する情報は、前記受信器の状態を含み、
前記受信動作制御部は、前記受信器の状態が所定の状態である場合には、前記第２のフレームを受信する前記受信部の動作を停止させる、
請求項１１に記載の画像合成装置。
【請求項１３】
前記受信器に関する情報は、前記受信器の機能を含み、
前記受信動作制御部は、前記受信器の機能が所定の機能である場合には、前記第２のフレームを受信する前記受信部の動作を停止させる、
請求項１１に記載の画像合成装置。
【請求項１４】
前記受信動作制御部は、前記受信器に関する情報が前記所定の情報である場合には、前記上位ビットおよび前記下位ビットの抽出を停止するよう前記画素抽出部を制御する、
請求項１０に記載の画像合成装置。
【請求項１５】
前記画像合成装置は、
前記受信器に関する情報を前記送信器に送信する機器情報送信部を備える、
請求項１０に記載の画像合成装置。
【請求項１６】
前記画素抽出部は、前記第１のフレームおよび前記第２のフレームそれぞれの先頭に付されているフレーム開始識別子の位置に基づいて前記上位ビットおよび前記下位ビットをそれぞれ抽出する、
請求項１０に記載の画像合成装置。
【請求項１７】
前記画像合成装置は、
前記第１のフレームを受信する第２の受信部および前記第２のフレームを受信する第２の受信部を備える、
請求項１０に記載の画像合成装置。
【請求項１８】
受信器によって受信される映像信号が画素要素ごとに分割された上位ビットおよび下位ビットをそれぞれ含む第１のフレームおよび第２のフレームが送信器から受信された場合、前記第１のフレームおよび前記第２のフレームから、前記上位ビットおよび前記下位ビットをそれぞれ抽出することと、
前記上位ビットと前記下位ビットとを合成して前記映像信号を復元する画像合成部と、
前記受信器に関する情報が所定の情報である場合には、前記送信器から前記第２のフレームを受信する受信部の動作を停止するよう制御することと、
を含む、画像合成方法。
【請求項１９】
受信器によって受信される映像信号が画素要素ごとに分割された上位ビットを含む第１のフレームが送信器から受信された場合、前記第１のフレームから、前記上位ビットを抽出する画素抽出部と、
前記上位ビットに基づいて前記映像信号よりもサイズの小さい映像信号を生成する信号生成部と、
を備える、信号生成装置。
【請求項２０】
映像信号を画素要素ごとに上位ビットと下位ビットとに分割する画像分割部と、
前記上位ビットを含む第１のフレームと前記下位ビットを含む第２のフレームとを生成するフレーム生成部と、
受信器に関する情報が所定の情報である場合には、前記第２のフレームを前記受信器に送信する送信部の動作を停止させる送信動作制御部と、
を備える、フレーム生成装置と、
前記第１のフレームおよび前記第２のフレームが送信器から受信された場合、前記第１のフレームおよび前記第２のフレームから、前記上位ビットおよび前記下位ビットをそれぞれ抽出する画素抽出部と、
前記上位ビットと前記下位ビットとを合成して前記映像信号を復元する画像合成部と、
前記受信器に関する情報が所定の情報である場合には、前記送信器から前記第２のフレームを受信する受信部の動作を停止するよう制御する受信動作制御部と、
を備える、画像合成装置と、
を有する、画像伝送システム。
【発明の詳細な説明】
【技術分野】
【０００１】
本開示は、フレーム生成装置、フレーム生成方法、画像合成装置、画像合成方法、信号生成装置、信号生成方法および画像伝送システムに関する。
【背景技術】
【０００２】
近年、映像信号の情報量が飛躍的に向上しており、超高解像度超高階調ベースバンド映像信号が普及しつつある。例えば、有効画素数が７６８０×４３２０であり、１画素の画素要素（Ｒ，Ｇ，Ｂ、もしくは、Ｙ，Ｃｂ，Ｃｒ）それぞれのビット数は１０ビットもしくは１２ビットであるスーパーハイビジョンが推進されている。また、ＨＤＲに見られるように、今後、更なる映像のダイナミックレンジの拡大も検討されており、１画素の画素要素それぞれのビット数が１２ビットを超える映像信号（例えば、１画素の画素要素それぞれのビット数が１６ビットまたは２４ビット）が扱われることも予想される。【０００３】
例えば、超高階調映像信号を伝送する技術として、３Ｇ−ＳＤＩ伝送路を複数本用いて超高階調映像信号を伝送する技術が開示されている（例えば、特許文献１参照）。この特許文献１には、画素要素それぞれのビット数が１６ビットである場合、画素要素それぞれを上位８ビットと下位８ビットとに分割し、上位８ビットと下位８ビットとを異なるＳＧ−ＳＤＩ伝送路に割り当てて伝送することが提案されている。受信装置は、これらの分割された上位８ビットと下位８ビットとを複数の伝送路を用いて受信し、上位８ビットと下位８ビットとに分割された画素要素を合成し、超高階調映像信号を再生する。
【先行技術文献】
【特許文献】
【０００４】
【特許文献１】特開２０１５−０１９１８２号公報
【発明の概要】
【発明が解決しようとする課題】
【０００５】
しかしながら、受信器によって超高階調映像が扱われない場合があり得る。一例として、今後も使用頻度が増えると予想されるタブレット機器および携帯機器などは、その処理能力および消費電力の制限などにより、超高階調映像を扱えない場合があり得る。また、他の例として、受信器の性質上、受信器が表示する映像信号にさほど多くの情報量を必要としない場合もあり得る。このような場合であっても、超高階調映像をそのまま送信し続け、または、超高階調映像をそのまま受信し続ければ、無駄な消費電力を要してしまう。【０００６】
そこで、映像信号が分割されて複数の伝送路を介して送信器から受信器に送信される場合に、送信器および受信器のうち少なくともいずれか一方の要する消費電力を低減することが可能な技術が提供されることが望まれる。
【課題を解決するための手段】
【０００７】
本開示によれば、映像信号を画素要素ごとに上位ビットと下位ビットとに分割する画像分割部と、前記上位ビットを含む第１のフレームと前記下位ビットを含む第２のフレームとを生成するフレーム生成部と、受信器に関する情報が所定の情報である場合には、前記第２のフレームを前記受信器に送信する送信部の動作を停止させる送信動作制御部と、を備える、フレーム生成装置が提供される。【０００８】
本開示によれば、映像信号を画素要素ごとに上位ビットと下位ビットとに分割することと、前記上位ビットを含む第１のフレームと前記下位ビットを含む第２のフレームとを生成することと、受信器に関する情報が所定の情報である場合には、前記第２のフレームを前記受信器に送信する送信部の動作を停止させることと、を含む、フレーム生成方法が提供される。【０００９】
本開示によれば、受信器によって受信される映像信号が画素要素ごとに分割された上位ビットおよび下位ビットをそれぞれ含む第１のフレームおよび第２のフレームが送信器から受信された場合、前記第１のフレームおよび前記第２のフレームから、前記上位ビットおよび前記下位ビットをそれぞれ抽出する画素抽出部と、前記上位ビットと前記下位ビットとを合成して前記映像信号を復元する画像合成部と、前記受信器に関する情報が所定の情報である場合には、前記送信器から前記第２のフレームを受信する受信部の動作を停止するよう制御する受信動作制御部と、を備える、画像合成装置が提供される。【００１０】
本開示によれば、受信器によって受信される映像信号が画素要素ごとに分割された上位ビットおよび下位ビットをそれぞれ含む第１のフレームおよび第２のフレームが送信器から受信された場合、前記第１のフレームおよび前記第２のフレームから、前記上位ビットおよび前記下位ビットをそれぞれ抽出することと、前記上位ビットと前記下位ビットとを合成して前記映像信号を復元する画像合成部と、前記受信器に関する情報が所定の情報である場合には、前記送信器から前記第２のフレームを受信する受信部の動作を停止するよう制御することと、を含む、画像合成方法が提供される。【００１１】
本開示によれば、受信器によって受信される映像信号が画素要素ごとに分割された上位ビットを含む第１のフレームが送信器から受信された場合、前記第１のフレームから、前記上位ビットを抽出する画素抽出部と、前記上位ビットに基づいて前記映像信号よりもサイズの小さい映像信号を生成する信号生成部と、を備える、信号生成装置が提供される。【００１２】
本開示によれば、映像信号を画素要素ごとに上位ビットと下位ビットとに分割する画像分割部と、前記上位ビットを含む第１のフレームと前記下位ビットを含む第２のフレームとを生成するフレーム生成部と、受信器に関する情報が所定の情報である場合には、前記第２のフレームを前記受信器に送信する送信部の動作を停止させる送信動作制御部と、を備える、フレーム生成装置と、前記第１のフレームおよび前記第２のフレームが送信器から受信された場合、前記第１のフレームおよび前記第２のフレームから、前記上位ビットおよび前記下位ビットをそれぞれ抽出する画素抽出部と、前記上位ビットと前記下位ビットとを合成して前記映像信号を復元する画像合成部と、前記受信器に関する情報が所定の情報である場合には、前記送信器から前記第２のフレームを受信する受信部の動作を停止するよう制御する受信動作制御部と、を備える、画像合成装置と、を有する、画像伝送システムが提供される。
【発明の効果】
【００１３】
以上説明したように本開示によれば、映像信号が分割されて複数の伝送路を介して送信器から受信器に送信される場合に、送信器および受信器のうち少なくともいずれか一方の要する消費電力を低減することが可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１４】
【図１】超高階調映像信号を伝送する一般的なシステム構成例を示す図である。
【図２】本開示の一実施形態に係る画像伝送システムの構成の一例を示す図である。
【図３】同実施形態に係る映像信号の例を示す図である。
【図４】映像信号を画素要素（Ｒ，Ｇ，Ｂ）ごとに上位ビットと下位ビットとに分割する手法の例を説明するための図である。
【図５】フレーム生成部によって生成されるフレーム（第１のフレームおよび第２のフレーム）の構成例を示す図である。
【図６】画素要素（Ｒ，Ｇ，Ｂ）ごとに上位ビットと下位ビットとを合成して映像信号を復元する手法の例を説明するための図である。
【図７】画像伝送システムの変形例の構成の一例を示す図である。
【発明を実施するための形態】
【００１５】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１６】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１７】
なお、説明は以下の順序で行うものとする。
１．背景
２．画像伝送システムの構成例
３．むすび
【００１８】
＜１．背景＞
まず、本実施形態の背景について説明する。近年、映像信号の情報量が飛躍的に向上しており、超高解像度超高階調ベースバンド映像信号が普及しつつある。例えば、有効画素数が７６８０×４３２０であり、１画素の画素要素（Ｒ，Ｇ，Ｂ、もしくは、Ｙ，Ｃｂ，Ｃｒ）それぞれのビット数は１０ビットもしくは１２ビットであるスーパーハイビジョンが推進されている。また、ＨＤＲに見られるように、今後、更なる映像のダイナミックレンジの拡大も検討されており、１画素の画素要素それぞれのビット数が１２ビットを超える映像信号（例えば、１画素の画素要素それぞれのビット数が１６ビットまたは２４ビット）が扱われることも予想される。
【００１９】
例えば、超高階調映像信号を伝送する技術として、３Ｇ−ＳＤＩ伝送路を複数本用いて超高階調映像信号を伝送する技術が開示されている（例えば、特開２０１５−０１９１８２号公報参照）。図１は、超高階調映像信号を伝送する一般的なシステム構成例を示す図である。図１に示すように、超高階調映像信号を伝送する一般的なシステムは、送信器８０と受信器９０とを有しており、送信器８０は、画像生成部８０１と、画像分割部８０２と、３Ｇ−ＳＤＩ送信部８０３と、３Ｇ−ＳＤＩ送信部８０４とを備える。また、受信器９０は、３Ｇ−ＳＤＩ受信部９０３と、３Ｇ−ＳＤＩ受信部９０４と、画像合成部９０２と、画像表示部９０１とを備える。
【００２０】
送信器８０において、画像生成部８０１は、画素要素それぞれのビット数が１６ビットの映像信号を生成する。画像分割部８０２は、映像信号の画素要素それぞれを上位８ビットと下位８ビットとに分割する。３Ｇ−ＳＤＩ送信部８０３は、上位８ビットを受信器９０に送信し、３Ｇ−ＳＤＩ送信部８０４は、下位８ビットを受信器９０に送信する。続いて、受信器９０において、３Ｇ−ＳＤＩ受信部９０３は、上位８ビットを受信し、３Ｇ−ＳＤＩ受信部９０４は、下位８ビットを受信し、画像合成部９０２は、上位８ビットと下位８ビットとを合成して超高階調映像信号を復元し、画像表示部９０１は、超高階調映像信号を再生して表示する。
【００２１】
しかしながら、受信器９０によって超高階調映像が扱われない場合があり得る。一例として、今後も使用頻度が増えると予想されるタブレット機器および携帯機器などは、その処理能力および消費電力の制限などにより、超高階調映像を扱えない場合があり得る。また、他の例として、受信器９０の性質上、受信器９０が表示する映像信号にさほど多くの情報量を必要としない場合もあり得る。このような場合であっても、超高階調映像をそのまま送信し続け、または、超高階調映像をそのまま受信し続ければ、無駄な消費電力を要してしまう。
【００２２】
そこで、本明細書においては、映像信号が分割されて複数の伝送路を介して送信器８０から受信器９０に送信される場合に、送信器８０および受信器９０のうち少なくともいずれか一方の要する消費電力を低減することが可能な技術について主に提案する。なお、本明細書においては、送信器８０から受信器９０に送信される映像信号として、超高階調映像を想定し、各画素要素のビット数が１６ビット以上、かつ、２４ビット以下である場合を想定する。しかし、各画素要素のビット数は特に限定されない。
【００２３】
以上、本実施形態の背景について説明した。
【００２４】
［２．画像伝送システムの構成例］
続いて、図２を参照しながら、画像伝送システムの構成例について説明する。図２は、本実施形態に係る画像伝送システムの構成の一例を示す図である。図２に示すように、本実施形態に係る画像伝送システム１Ａは、送信器１０と、受信器２０Ａとを有する。送信器１０と受信器２０Ａとは、ケーブル３０を介して接続されている。ケーブル３０には複数の伝送路が含まれている。なお、送信器１０は、「フレーム生成装置」として機能し得る。また、受信器２０Ａは、「画像合成装置」として機能し得る。
【００２５】
送信器１０は、画像生成部１０１と、画像分割部１０２と、フレーム生成部１０３と、送信部１０４と、送信部１０５と、送信動作制御部１０６と、機器情報受信部１０７とを備える。画像生成部１０１は、映像信号を生成する。なお、図２には、画像生成部１０１が送信器１０に組み込まれている例が示されているが、画像生成部１０１は、送信器１０の外部に存在していてもよい。
【００２６】
図３は、本実施形態に係る映像信号の例を示す図である。図３に示すように、映像信号Ｉｍ１０における水平方向画素数をｎとし、映像信号Ｉｍ１０における垂直方向ライン数をｍとする。すなわち、映像信号Ｉｍ１０における水平方向の画素番号を０からｎ−１までの整数とし、映像信号Ｉｍ１０における垂直方向のライン番号を０からｍ−１までの整数とする。
【００２７】
また、図３に示すように、映像信号Ｉｍ１０の各画素は、画素要素（Ｒ，Ｇ，Ｂ）または画素要素（Ｙ，Ｃｂ，Ｃｒ）を含んでおり、各画素要素のビット数はＬビット（１６≦Ｌ≦２４）である。以下、映像信号Ｉｍ１０の各画素が画素要素（Ｒ，Ｇ，Ｂ）を含む場合を主に説明する。しかし、映像信号Ｉｍ１０の各画素は、画素要素（Ｒ，Ｇ，Ｂ）に限定されず、画素要素（Ｙ，Ｃｂ，Ｃｒ）であってもよい。
【００２８】
画像分割部１０２は、映像信号Ｉｍ１０を画素要素（Ｒ，Ｇ，Ｂ）ごとに上位ビットと下位ビットとに分割する。上位ビットは表示に利用された場合に閲覧に耐え得る最低限のデータを有していればよく、特に上位ビットのビット数は限定されない。また、下位ビットは、画素要素のうち上位ビット以外のビットである。具体的な例について、図４を参照しながら説明する。
【００２９】
図４は、映像信号Ｉｍ１０を画素要素（Ｒ，Ｇ，Ｂ）ごとに上位ビットと下位ビットとに分割する手法の例を説明するための図である。画像分割部１０２は、画素要素（Ｒ，Ｇ，Ｂ）それぞれの上位１２ビット（合計３６ビット）をフレーム生成部１０３に出力する。一方、画像分割部１０２は、画素要素（Ｒ，Ｇ，Ｂ）それぞれの下位ビットをフレーム生成部１０３に出力する。このとき、画像分割部１０２は、１２ビットに達していない下位ビットが存在する場合には、１２ビットに達するまで０を埋め、１２ビットに達した下位ビットをフレーム生成部１０３に出力する。
【００３０】
フレーム生成部１０３は、上位ビットを含む第１のフレームと下位ビットを含む第２のフレームとを生成する。図５は、フレーム生成部１０３によって生成されるフレーム（第１のフレームおよび第２のフレーム）の構成例を示す図である。図５には、Ｎ番目のフレームの全体が第Ｎ（Ｎは０以上の整数）フレームとして示され、Ｎ＋１番目のフレームの一部が第Ｎ＋１フレームとして示されている。
【００３１】
フレーム生成部１０３は、映像信号Ｉｍ１０の最初のライン（映像信号Ｉｍ１０における第０ライン）の各画素要素の上位ビット（１２ビット）、映像信号Ｉｍ１０の１番目のライン（映像信号Ｉｍ１０における第１ライン）の各画素要素の上位ビット（１２ビット）およびそれらに続くラインの各画素要素の上位ビット（１２ビット）を順に含んだ第１のフレームを生成する。
【００３２】
また、フレーム生成部１０３は、映像信号Ｉｍ１０の最初のライン（映像信号Ｉｍ１０における第０ライン）の各画素要素の下位ビット（１２ビット）、映像信号Ｉｍ１０の１番目のライン（映像信号Ｉｍ１０における第１ライン）の各画素要素の下位ビット（１２ビット）およびそれらに続くラインの各画素要素の下位ビット（１２ビット）を順に含んだ第２のフレームを生成する。
【００３３】
また、図５に示すように、フレーム生成部１０３は、フレーム（第１のフレームおよび第２のフレーム）の先頭にフレーム開始識別子（ＳＹＮＣ）を付する。フレーム開始識別子には、少なくとも映像信号には存在しない所定のコード（以下、「特殊データ」とも言う。）のいずれか一つが割り当てられている。例えば、特殊データは、伝送路３０１および伝送路３０２を送受信されるデータの符号化に依存する。例えば、伝送路３０１および伝送路３０２を送受信されるデータの符号化にＡＮＳＩ  ８ｂ／１０ｂ変換が用いられる場合、特殊データには、Ｋコードが割り当てられてよい。例えば、フレーム開始識別子には、Ｋ２８．５と呼ばれているＫコード（０ｘＢＣ）がＮバイト連続したデータが割り当てられてよい。
【００３４】
また、各ラインの後ろには、ブランキング区間が存在している。ここで、ブランキング区間には、特殊データのうち、フレーム開始識別子に割り当てられている特殊データとは異なる特殊データが割り当てられている。
【００３５】
なお、フレーム生成部１０３は、フレーム（第１のフレームおよび第２のフレーム）に対して符号化を行ってもよい。具体的には、フレーム生成部１０３は、フレーム（第１のフレームおよび第２のフレーム）に対して８ｂ／１０ｂ符号化を行ってもよい。例えば、フレーム生成部１０３は、フレーム（第１のフレームおよび第２のフレーム）のうち、フレーム開始識別子を対応する特殊データに置換し、ブランキング区間を対応する特殊データに置換し、これら以外のデータを１０ビット単位のデータに置換してもよい。また、フレーム生成部１０３は、符号化されたフレームを高速伝送に適した形式にすべくパラレルデータからシリアルデータに変換してもよい。
【００３６】
また、図２に示した例では、第１のフレームの生成と第２のフレームの生成とを、同一のフレーム生成部１０３において行う例を示すが、第１のフレームの生成と第２のフレームの生成とを、異なるフレーム生成部１０３において行うようにしてもよい。
【００３７】
送信部１０４は、ケーブル３０を介して第１のフレームを受信器２０Ａに送信する。より具体的には、送信部１０４は、伝送路３０１を介して第１のフレームを受信器２０Ａに送信する。例えば、伝送路３０１が光ファイバによって構成されている場合、送信部１０４は、第１のフレームを光信号に変換してから、伝送路３０１を介して受信器２０Ａに送信する。しかし、送信器１０から伝送路３０１を介して受信器２０Ａに送信される信号の種類は限定されない。例えば、送信部１０４は電気信号により伝送路３０１を介して第１のフレームを受信器２０Ａに送信してもよい。
【００３８】
また、送信部１０５は、ケーブル３０を介して第２のフレームを受信器２０Ａに送信する。より具体的には、送信部１０５は、伝送路３０２を介して第２のフレームを受信器２０Ａに送信する。例えば、伝送路３０２が光ファイバによって構成されている場合、送信部１０５は、第２のフレームを光信号に変換してから、伝送路３０２を介して受信器２０Ａに送信する。しかし、送信器１０から伝送路３０１を介して受信器２０Ａに送信される信号の種類は限定されない。例えば、送信部１０５は電気信号により伝送路３０２を介して第２のフレームを受信器２０Ａに送信してもよい。
【００３９】
機器情報受信部１０７は、伝送路３０３を介して受信器２０Ａに関する情報を受信器２０Ａから受信する。そして、送信動作制御部１０６は、受信器２０Ａに関する情報が所定の情報である場合には、第２のフレームを受信器２０Ａに送信する送信部１０５の動作を停止させる。かかる構成により、受信器２０Ａに関する情報が所定の情報である場合には、送信部１０５の動作が停止されるため、送信器１０の要する消費電力を低減することが可能となる。一方、受信器２０Ａに関する情報が所定の情報ではない場合には、第２のフレームを受信器２０Ａに送信する送信部１０５の動作を継続させる。
【００４０】
ここで、伝送路３０３が光ファイバによって構成されている場合、機器情報受信部１０７は、光信号に変換された後の受信器２０Ａに関する情報を、伝送路３０３を介して受信器２０Ａから受信する。しかし、受信器２０Ａから伝送路３０３を介して送信器１０に送信される信号の種類は限定されない。例えば、機器情報受信部１０７は電気信号により伝送路３０３を介して受信器２０Ａに関する情報を送信器１０から受信してもよい。
【００４１】
また、受信器２０Ａに関する情報は特に限定されない。例えば、受信器２０Ａに関する情報は、受信器２０Ａの状態および受信器２０Ａの機能のうち少なくともいずれか一方を含んでよい。例えば、受信器２０Ａに関する情報は、受信器２０Ａの状態を含み、送信動作制御部１０６は、受信器２０Ａの状態が所定の状態である場合には、第２のフレームを送信する送信部１０５の動作を停止させるとよい。所定の状態は、受信器２０Ａにおいて下位ビットを利用しない状態であれば限定されず、低電力モードであってもよい。
【００４２】
あるいは、受信器２０Ａに関する情報は、受信器２０Ａの機能を含み、送信動作制御部１０６は、受信器２０Ａの機能が所定の機能である場合には、第２のフレームを送信する送信部１０５の動作を停止させるとよい。所定の機能は、受信器２０Ａにおいて下位ビットを利用しない機能であれば限定されず、受信可能なビット数が閾値を下回っているという機能であってもよいし、接続可能な伝送路の数が閾値を下回っているという機能であってもよいし、モバイル端末であるという機能であってもよいし、超高階調モードを有していないという機能であってもよい。
【００４３】
なお、ここでは、送信動作制御部１０６が、受信器２０Ａに関する情報が所定の情報である場合に、第２のフレームを受信器２０Ａに送信する送信部１０５の動作を停止させる例を説明した。しかし、送信動作制御部１０６は、受信器２０Ａに関する情報が所定の情報である場合に、送信部１０５の動作を停止させる代わりに、または、送信部１０５の動作を停止させるとともに、第２のフレームの生成を停止するようフレーム生成部１０３を制御するようにしてもよい。かかる構成により、受信器２０Ａに関する情報が所定の情報である場合には、フレーム生成部１０３の動作が軽減されるため、送信器１０の要する消費電力を低減することが可能となる。
【００４４】
受信器２０Ａは、受信部２０４と、受信部２０５と、受信動作制御部２０６と、機器情報送信部２０７と、画素抽出部２０３Ａと、マルチプレクサ２０８と、画像合成部２０２と、画像表示部２０１とを備える。
【００４５】
受信部２０４は、ケーブル３０を介して第１のフレームを受信する。より具体的には、受信部２０４は、伝送路３０１を介して第１のフレームを受信する。例えば、伝送路３０１が光ファイバによって構成されている場合、受信部２０４は、送信器１０から光信号によって送信された第１のフレームを受光して電気信号に変換する。しかし、上記したように、送信器１０から伝送路３０１を介して受信器２０Ａに送信される信号の種類は限定されない。例えば、受信部２０４は電気信号により伝送路３０１を介して第１のフレームを送信器１０から受信してもよい。
【００４６】
受信部２０５は、ケーブル３０を介して第２のフレームを受信する。より具体的には、受信部２０５は、送信部１０５から送信された第２のフレームを、伝送路３０２を介して受信する。例えば、伝送路３０２が光ファイバによって構成されている場合、受信部２０５は、送信器１０から光信号によって送信された第２のフレームを受光して電気信号に変換する。しかし、上記したように、送信器１０から伝送路３０２を介して受信器２０Ａに送信される信号の種類は限定されない。例えば、受信部２０５は電気信号により伝送路３０２を介して第２のフレームを送信器１０から受信してもよい。
【００４７】
受信動作制御部２０６は、受信器２０Ａに関する情報が既に述べた所定の情報である場合には、送信器１０から第２のフレームを受信する受信部２０５の動作を停止するよう制御する。かかる構成により、受信器２０Ａに関する情報が所定の情報である場合には、受信部２０５の動作が停止されるため、受信器２０Ａの要する消費電力を低減することが可能となる。一方、受信器２０Ａに関する情報が所定の情報ではない場合には、送信器１０から第２のフレームを受信する受信部２０５の動作を継続させる。
【００４８】
機器情報送信部２０７は、伝送路３０３を介して受信器２０Ａに関する情報を送信器１０に送信する。ここで、伝送路３０３が光ファイバによって構成されている場合、機器情報送信部２０７は、受信器２０Ａに関する情報を光信号に変換し、伝送路３０３を介して光信号を送信器１０に送信する。しかし、受信器２０Ａから伝送路３０３を介して送信器１０に送信される信号の種類は限定されない。例えば、機器情報送信部２０７は電気信号により伝送路３０３を介して受信器２０Ａに関する情報を送信器１０に送信してもよい。
【００４９】
画素抽出部２０３Ａは、受信部２０４によって受信された第１のフレームから各画素要素の上位ビットを抽出する。図５を参照しながら具体的に説明する。画素抽出部２０３Ａは、第１のフレームから各画素要素の上位ビットを抽出する前に、第１のフレームをシリアルデータからパラレルデータに変換し、パラレルデータに変換された第１のフレームを復号してもよい。具体的には、画素抽出部２０３Ａは、第１のフレームに対して８ｂ／１０ｂ復号を行ってもよい。
【００５０】
例えば、画素抽出部２０３Ａは、第１のフレームのうち、フレーム開始識別子に対応する特殊データをフレーム開始識別子に置換し、ブランキング区間に対応する特殊データをブランキング区間に置換してもよい。一方、画素抽出部２０３Ａは、第１のフレームのうち、残りのデータも８ビット単位のデータに置換してもよい。
【００５１】
続いて、画素抽出部２０３Ａは、第１のフレームからフレーム開始識別子（ＳＹＮＣ）を検出する。フレーム開始識別子は第１のフレームの先頭に付されているため、画素抽出部２０３Ａは、フレーム開始識別子の位置に基づいて第１のフレームから各画素要素の上位ビットを抽出すればよい。より具体的には、画素抽出部２０３Ａは、フレーム開始識別子の位置を基準とした各画素要素の上位ビットの相対的な位置を把握していれば、この相対的な位置に基づいて各画素要素の上位ビットを抽出すればよい。
【００５２】
同様にして、画素抽出部２０３Ａは、受信部２０５によって受信された第２のフレームから各画素要素の下位ビットを抽出する。図５を参照しながら具体的に説明する。画素抽出部２０３Ａは、第２のフレームから各画素要素の下位ビットを抽出する前に、第２のフレームをシリアルデータからパラレルデータに変換し、パラレルデータに変換された第２のフレームを復号してもよい。具体的には、画素抽出部２０３Ａは、第２のフレームに対して８ｂ／１０ｂ復号を行ってもよい。
【００５３】
例えば、画素抽出部２０３Ａは、第２のフレームのうち、フレーム開始識別子に対応する特殊データをフレーム開始識別子に置換し、ブランキング区間に対応する特殊データをブランキング区間に置換してもよい。一方、画素抽出部２０３Ａは、第２のフレームのうち、残りのデータも８ビット単位のデータに置換してもよい。
【００５４】
続いて、画素抽出部２０３Ａは、第２のフレームからフレーム開始識別子（ＳＹＮＣ）を検出する。フレーム開始識別子は第２のフレームの先頭に付されているため、画素抽出部２０３Ａは、フレーム開始識別子の位置に基づいて第２のフレームから各画素要素の下位ビットを抽出すればよい。より具体的には、画素抽出部２０３Ａは、フレーム開始識別子の位置を基準とした各画素要素の下位ビットの相対的な位置を把握していれば、この相対的な位置に基づいて各画素要素の下位ビットを抽出すればよい。
【００５５】
なお、上記では、受信動作制御部２０６が、受信器２０Ａに関する情報が所定の情報である場合に、第２のフレームを送信器１０から受信する受信部２０５の動作を停止させる例を説明した。しかし、受信動作制御部２０６は、受信器２０Ａに関する情報が所定の情報である場合に、受信部２０５の動作を停止させる代わりに、または、受信部２０５の動作を停止させるとともに、各画素要素の下位ビットの抽出を停止するよう画素抽出部２０３Ａを制御するようにしてもよい。かかる構成により、受信器２０Ａに関する情報が所定の情報である場合には、画素抽出部２０３Ａの動作が軽減されるため、受信器２０Ａの要する消費電力を低減することが可能となる。
【００５６】
また、図２に示した例では、各画素要素の上位ビットの抽出と各画素要素の下位ビットの抽出とを、同一の画素抽出部２０３Ａにおいて行う例を示すが、各画素要素の上位ビットの抽出と各画素要素の下位ビットの抽出とを、異なる画素抽出部２０３Ａにおいて行うようにしてもよい。
【００５７】
マルチプレクサ２０８は、受信動作制御部２０６から入力される受信器２０Ａに関する情報が所定の情報である場合には、画像合成部２０２に対して、「０」を出力する。一方、マルチプレクサ２０８は、受信動作制御部２０６から入力される受信器２０Ａに関する情報が所定の情報ではない場合には、画像合成部２０２に対して、画素抽出部２０３Ａによって抽出された各画素要素の下位ビットを出力する。
【００５８】
画像合成部２０２は、各画素要素の上位ビットと各画素要素の下位ビットとを合成して映像信号Ｉｍ１０を復元する。図６は、画素要素（Ｒ，Ｇ，Ｂ）ごとに上位ビットと下位ビットとを合成して映像信号Ｉｍ１０を復元する手法の例を説明するための図である。
【００５９】
図６に示すように、画像合成部２０２は、マルチプレクサ２０８から画素要素（Ｒ，Ｇ，Ｂ）それぞれの下位ビットが入力された場合には、画素要素（Ｒ，Ｇ，Ｂ）それぞれの上位１２ビット（合計３６ビット）と画素要素（Ｒ，Ｇ，Ｂ）それぞれの下位ビット（合計３６ビット）とを合成して出力する。このとき出力される信号は、例えば、上位ビットと下位ビットとを有する信号（超高階調映像信号）である。
【００６０】
一方、画像合成部２０２は、マルチプレクサ２０８から「０」が入力された場合には，画素要素（Ｒ，Ｇ，Ｂ）それぞれの上位１２ビット（合計３６ビット）と「０」とを合成して出力する。このとき出力される信号は、上位ビットのみを有する信号（通常階調映像信号）である。
【００６１】
画像表示部２０１は、画像合成部２０２から出力された信号に基づいて映像の表示を行う。具体的には、画像表示部２０１は、画像合成部２０２から出力された信号を再生して映像を表示する。例えば、画像表示部２０１は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、有機ＥＬ（Ｅｌｅｃｔｒｏ−Ｌｕｍｉｎｅｓｃｅｎｃｅ）ディスプレイおよびプロジェクタなどの表示装置などであり得る。なお、図２には、画像表示部２０１が受信器２０Ａに組み込まれている例が示されているが、画像表示部２０１は、受信器２０Ａの外部に存在していてもよい。
【００６２】
＜３．むすび＞
以上説明したように、本実施形態によれば、画像分割部１０２と、フレーム生成部１０３と、送信動作制御部１０６とを備える、フレーム生成装置１０が提供される。ここで、画像分割部１０２は、映像信号を画素要素ごとに上位ビットと下位ビットとに分割する。また、フレーム生成部１０３は、上位ビットを含む第１のフレームと下位ビットを含む第２のフレームとを生成する。そして、送信動作制御部１０６は、受信器２０Ａに関する情報が所定の情報である場合には、第２のフレームを受信器２０Ａに送信する送信部１０５の動作を停止させる。
【００６３】
かかる構成により、受信器２０Ａに関する情報が所定の情報である場合には、送信部１０５の動作が停止されるため、送信器１０の要する消費電力を低減することが可能となる。
【００６４】
また、本実施形態によれば、画素抽出部２０３Ａと、画像合成部２０２と、受信動作制御部２０６とを備える、画像合成装置２０Ａが提供される。ここで、受信器２０Ａによって受信される映像信号が画素要素ごとに分割された上位ビットおよび下位ビットをそれぞれ含む第１のフレームおよび第２のフレームが送信器１０から受信された場合を想定する。かかる場合、画素抽出部２０３Ａは、第１のフレームおよび第２のフレームから、上位ビットおよび下位ビットをそれぞれ抽出する。また、画像合成部２０２は、上位ビットと下位ビットとを合成して映像信号を復元する。そして、受信動作制御部２０６は、受信器２０Ａに関する情報が所定の情報である場合には、送信器１０から第２のフレームを受信する受信部２０５の動作を停止するよう制御する。
【００６５】
かかる構成により、受信器２０Ａに関する情報が所定の情報である場合には、受信部２０５の動作が停止されるため、受信器２０Ａの要する消費電力を低減することが可能となる。
【００６６】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００６７】
例えば、上記においては、受信部２０４および受信部２０５の両方を有する受信器２０Ａについて説明した。そして、画素抽出部２０３Ａが受信部２０４によって受信された第１のフレームから各画素要素の上位ビットを抽出し、受信部２０５によって受信された第２のフレームから各画素要素の下位ビットを抽出し、画像合成部２０２が上位ビットと下位ビットとを合成して映像信号を復元する例を説明した。しかし、受信器２０Ａは、受信部２０４を有さず、マルチプレクサ２０８を有さず、画素抽出部２０３Ａの一部の機能を有していなくてもよい。
【００６８】
図７は、画像伝送システムの変形例の構成の一例を示す図である。図７に示すように、変形例に係る画像伝送システム１Ｂは、受信器２０Ａの代わりに受信器２０Ｂを有しており、受信器２０Ｂは、受信部２０５を有しておらず、画素抽出部２０３Ａの代わりに画素抽出部２０３Ｂを有しており、画像合成部２０２の代わりに信号生成部２０９を備えている。受信器２０Ｂは、「信号生成装置」として機能し得る。
【００６９】
画素抽出部２０３Ｂは、第１のフレームから各画素要素の上位ビットを抽出するが、画素抽出部２０３Ｂに第２のフレームは入力されない。画素抽出部２０３Ｂは、各画素要素の下位ビットの代わりに「０」を信号生成部２０９に出力する。信号生成部２０９は、画素抽出部２０３Ｂによって抽出された各画素要素の上位ビットに基づいて映像信号Ｉｍ１０よりもサイズの小さい映像信号を生成する。
【００７０】
受信器２０Ｂは、受信部２０５が存在せず、画素抽出部２０３Ｂの機能も画素抽出部２０３Ａの機能より軽減されているため、消費電力の低減が実現される。さらに、受信器２０Ｂの構成は、受信器２０Ａの構成よりも簡素化されているため、受信器２０Ｂは、受信器２０Ａよりも低コストで製造され得る。
【００７１】
また、例えば、画像生成部１０１、画像分割部１０２、フレーム生成部１０３および送信動作制御部１０６は、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、マルチプレクサ２０８、受信動作制御部２０６、画素抽出部２０３Ａ（または画素抽出部２０３Ｂ）および画像合成部２０２（または信号生成部２０９）は、別個のＩＣに実装されてもよいし、いずれかの組み合わせが同一のＩＣに実装されてもよい。
【００７２】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【００７３】
なお、以下のような構成も本開示の技術的範囲に属する。
（１）
映像信号を画素要素ごとに上位ビットと下位ビットとに分割する画像分割部と、
前記上位ビットを含む第１のフレームと前記下位ビットを含む第２のフレームとを生成するフレーム生成部と、
受信器に関する情報が所定の情報である場合には、前記第２のフレームを前記受信器に送信する送信部の動作を停止させる送信動作制御部と、
を備える、フレーム生成装置。
（２）
前記受信器に関する情報は、前記受信器の状態および前記受信器の機能のうち少なくともいずれか一方を含む、
前記（１）に記載のフレーム生成装置。
（３）
前記受信器に関する情報は、前記受信器の状態を含み、
前記送信動作制御部は、前記受信器の状態が所定の状態である場合には、前記第２のフレームを送信する前記送信部の動作を停止させる、
前記（２）に記載のフレーム生成装置。
（４）
前記受信器に関する情報は、前記受信器の機能を含み、
前記送信動作制御部は、前記受信器の機能が所定の機能である場合には、前記第２のフレームを送信する前記送信部の動作を停止させる、
前記（２）に記載のフレーム生成装置。
（５）
前記送信動作制御部は、前記受信器に関する情報が前記所定の情報である場合には、前記第２のフレームの生成を停止するよう前記フレーム生成部を制御する、
前記（１）〜（４）のいずれか一項に記載のフレーム生成装置。
（６）
前記フレーム生成装置は、
前記受信器に関する情報を前記受信器から受信する機器情報受信部を備える、
前記（１）〜（５）のいずれか一項に記載のフレーム生成装置。
（７）
前記フレーム生成部は、前記第１のフレームおよび前記第２のフレームそれぞれの先頭にフレーム開始識別子を付する、
前記（１）〜（６）のいずれか一項に記載のフレーム生成装置。
（８）
前記フレーム生成装置は、
前記第１のフレームを送信する第１の送信部および前記第２のフレームを送信する第２の送信部を備える、
前記（１）〜（７）のいずれか一項に記載のフレーム生成装置。
（９）
映像信号を画素要素ごとに上位ビットと下位ビットとに分割することと、
前記上位ビットを含む第１のフレームと前記下位ビットを含む第２のフレームとを生成することと、
受信器に関する情報が所定の情報である場合には、前記第２のフレームを前記受信器に送信する送信部の動作を停止させることと、
を含む、フレーム生成方法。
（１０）
受信器によって受信される映像信号が画素要素ごとに分割された上位ビットおよび下位ビットをそれぞれ含む第１のフレームおよび第２のフレームが送信器から受信された場合、前記第１のフレームおよび前記第２のフレームから、前記上位ビットおよび前記下位ビットをそれぞれ抽出する画素抽出部と、
前記上位ビットと前記下位ビットとを合成して前記映像信号を復元する画像合成部と、
前記受信器に関する情報が所定の情報である場合には、前記送信器から前記第２のフレームを受信する受信部の動作を停止するよう制御する受信動作制御部と、
を備える、画像合成装置。
（１１）
前記受信器に関する情報は、前記受信器の状態および前記受信器の機能のうち少なくともいずれか一方を含む、
前記（１０）に記載の画像合成装置。
（１２）
前記受信器に関する情報は、前記受信器の状態を含み、
前記受信動作制御部は、前記受信器の状態が所定の状態である場合には、前記第２のフレームを受信する前記受信部の動作を停止させる、
前記（１１）に記載の画像合成装置。
（１３）
前記受信器に関する情報は、前記受信器の機能を含み、
前記受信動作制御部は、前記受信器の機能が所定の機能である場合には、前記第２のフレームを受信する前記受信部の動作を停止させる、
前記（１１）に記載の画像合成装置。
（１４）
前記受信動作制御部は、前記受信器に関する情報が前記所定の情報である場合には、前記上位ビットおよび前記下位ビットの抽出を停止するよう前記画素抽出部を制御する、
前記（１０）〜（１３）のいずれか一項に記載の画像合成装置。
（１５）
前記画像合成装置は、
前記受信器に関する情報を前記送信器に送信する機器情報送信部を備える、
前記（１０）〜（１４）のいずれか一項に記載の画像合成装置。
（１６）
前記画素抽出部は、前記第１のフレームおよび前記第２のフレームそれぞれの先頭に付されているフレーム開始識別子の位置に基づいて前記上位ビットおよび前記下位ビットをそれぞれ抽出する、
前記（１０）〜（１５）のいずれか一項に記載の画像合成装置。
（１７）
前記画像合成装置は、
前記第１のフレームを受信する第２の受信部および前記第２のフレームを受信する第２の受信部を備える、
前記（１０）〜（１６）のいずれか一項に記載の画像合成装置。
（１８）
受信器によって受信される映像信号が画素要素ごとに分割された上位ビットおよび下位ビットをそれぞれ含む第１のフレームおよび第２のフレームが送信器から受信された場合、前記第１のフレームおよび前記第２のフレームから、前記上位ビットおよび前記下位ビットをそれぞれ抽出することと、
前記上位ビットと前記下位ビットとを合成して前記映像信号を復元する画像合成部と、
前記受信器に関する情報が所定の情報である場合には、前記送信器から前記第２のフレームを受信する受信部の動作を停止するよう制御することと、
を含む、画像合成方法。
（１９）
受信器によって受信される映像信号が画素要素ごとに分割された上位ビットを含む第１のフレームが送信器から受信された場合、前記第１のフレームから、前記上位ビットを抽出する画素抽出部と、
前記上位ビットに基づいて前記映像信号よりもサイズの小さい映像信号を生成する信号生成部と、
を備える、信号生成装置。
（２０）
映像信号を画素要素ごとに上位ビットと下位ビットとに分割する画像分割部と、
前記上位ビットを含む第１のフレームと前記下位ビットを含む第２のフレームとを生成するフレーム生成部と、
受信器に関する情報が所定の情報である場合には、前記第２のフレームを前記受信器に送信する送信部の動作を停止させる送信動作制御部と、
を備える、フレーム生成装置と、
前記第１のフレームおよび前記第２のフレームが送信器から受信された場合、前記第１のフレームおよび前記第２のフレームから、前記上位ビットおよび前記下位ビットをそれぞれ抽出する画素抽出部と、
前記上位ビットと前記下位ビットとを合成して前記映像信号を復元する画像合成部と、
前記受信器に関する情報が所定の情報である場合には、前記送信器から前記第２のフレームを受信する受信部の動作を停止するよう制御する受信動作制御部と、
を備える、画像合成装置と、
を有する、画像伝送システム。
【符号の説明】
【００７４】
１Ａ、１Ｂ  画像伝送システム
１０    送信器（フレーム生成装置）
２０Ａ  受信器（画像合成装置）
２０Ｂ  受信器（信号生成装置）
１０１  画像生成部
１０２  画像分割部
１０３  フレーム生成部
１０４  送信部
１０５  送信部
１０６  送信動作制御部
１０７  機器情報受信部
２０１  画像表示部
２０２  画像合成部
２０３Ａ、２０３Ｂ  画素抽出部
２０４  受信部
２０５  受信部
２０６  受信動作制御部
２０７  機器情報送信部
２０８  マルチプレクサ
２０９  信号生成部
３０    ケーブル
３０１  伝送路
３０２  伝送路
３０３  伝送路
Ｉｍ１０  映像信号
【図１】
2017090283.tif 000003
【図２】
2017090283.tif 000004
【図３】
2017090283.tif 000005
【図４】
2017090283.tif 000006
【図５】
2017090283.tif 000007
【図６】
2017090283.tif 000008
【図７】
2017090283.tif 000009
【国際調査報告】
2017090283.tif 000010
2017090283.tif 000011
2017090283.tif 000012
2017090283.tif 000013